(57)【要約】【課題】強度の低いプロテクタカバーのヒンジをワイヤハーネスの反力から保護する。【解決手段】内部にワイヤハーネスが収容されるプロテクタ本体１０と、プロテクタ本体１０の上面の開口を塞ぐようにプロテクタカバー２０とを備え、プロテクタカバーの長手方向に沿った中間部に肉薄のヒンジ２５が設けられており、プロテクタ本体１０のヒンジ２５と重なる位置に、プロテクタ本体１０の上面の開口を跨ぐように架け渡されて、両端１５ａ、１５ｂがプロテクタ本体１０の両側壁１２に係合されることで、プロテクタ本体１０に収容されたワイヤハーネスを押さえ込む電線押さえ片１５が設けられている。プロテクタ１の長手方向の一端側２が他端側３から上方に向けて湾曲又は屈曲しており、その湾曲又は屈曲位置Ｂの一端側又は他端側の位置に、ヒンジ２５及び電線押さえ片１５が配置されている。【選択図】図３
2013247712.tif 000002
【特許請求の範囲】
【請求項１】
底壁と両側壁を備え上面が開口した断面Ｕ字状に形成され、内部にワイヤハーネスが収容されるプロテクタ本体と、該プロテクタ本体の上面の開口を塞ぐように前記プロテクタ本体に係合されるプロテクタカバーとを備え、前記プロテクタカバーのワイヤハーネスの長手方向に沿った中間部に、該プロテクタカバーの肉厚を局部的に薄くすることで屈曲自在とされたヒンジが、前記プロテクタカバーの幅方向に沿って形成されており、前記ヒンジを境にした長手方向の両側の第１カバー部と第２カバー部とが、個別に前記プロテクタ本体に対して該プロテクタ本体の上面の開口を塞ぐように係合可能とされたワイヤハーネス用のプロテクタであって、
前記プロテクタ本体の前記ヒンジと重なる位置に、前記プロテクタ本体の上面の開口を跨ぐように架け渡されて、両端が前記プロテクタ本体の前記両側壁に係合されることで、前記プロテクタ本体に収容されたワイヤハーネスを押さえ込む電線押さえ片が設けられていることを特徴とするワイヤハーネス用のプロテクタ。
【請求項２】
前記電線押さえ片の両端のうち一端が、前記プロテクタ本体を構成する前記両側壁のうちの一方の側壁に回動自在に連結され、他端が、前記両側壁のうちの他方の側壁に着脱自在にロック結合されるように構成されていることを特徴とする請求項１に記載のワイヤハーネス用のプロテクタ。
【請求項３】
前記プロテクタ本体及び前記プロテクタカバーの長手方向の一端側が他端側から上方に向けて湾曲又は屈曲しており、その湾曲又は屈曲位置の前記一端側又は前記他端側の位置に、前記ヒンジ及び前記電線押さえ片が配置されていることを特徴とする請求項１又は２に記載のワイヤハーネス用のプロテクタ。
【発明の詳細な説明】
【技術分野】
【０００１】
本発明は、自動車などの車体に沿って配索されるワイヤハーネスを保護するためのワイヤハーネス用のプロテクタに関するものである。
【背景技術】
【０００２】
この種のワイヤハーネス用のプロテクタの中に、ワイヤハーネスを収容するプロテクタ本体と、プロテクタ本体に被せるプロテクタカバーとを備えたものがある。プロテクタ本体は、一般的に、底壁と両側壁を備え上面が開口した断面Ｕ字状に形成されており、内部にワイヤハーネスを寝かせた状態で収容できるように構成されている。また、プロテクタカバーは、主に、プロテクタ本体に収容したワイヤハーネスの跳び出しを防ぐためのもので、プロテクタ本体にワイヤハーネスを収容した後で、プロテクタ本体の上面の開口を塞ぐように被せて、プロテクタ本体に係合するように構成されている。
【０００３】
また、このようなプロテクタカバーを備えたプロテクタの中に、プロテクタカバーのワイヤハーネスの長手方向に沿った中間部にヒンジを設け、そのヒンジを境にした長手方向の両側のカバー部を、個別にプロテクタ本体に対して係合できるようにしたものがある（例えば、特許文献１参照）。この場合のヒンジは、プロテクタカバーが樹脂成形品よりなるので、プロテクタカバーの肉厚を局部的に薄くすることで屈曲自在に構成されている。
【０００４】
このように、ヒンジを設けてプロテクタカバーの一端側と他端側を個別にプロテクタ本体に係合できるようにした場合、先に片方のカバー部をプロテクタ本体の上面の開口を閉じる位置に係合した状態で、後からもう片方のカバー部を被せて係合させることができるので、ワイヤハーネスの取付作業性の向上が図れる。
【０００５】
また、これとは別に、ワイヤハーネスの組付作業時にワイヤハーネスが浮き上がるのを防ぐために、プロテクタ本体に電線押さえ片を設けたプロテクタが知られている（例えば、特許文献２参照）。この場合の電線押さえ片は、例えば、一方の側壁に基端が回動自在に連結されており、ワイヤハーネスをプロテクタ本体に収容した状態で、プロテクタ本体の上面の開口を跨ぐように架け渡されて先端が他方の側壁にロック結合されることで、ワイヤハーネスを押さえ込むことができるように構成されている。
【０００６】
このような電線押さえ片をプロテクタ本体に設けたプロテクタの場合、ワイヤハーネスの組付作業時に、先に電線押さえ片によってワイヤハーネスを押さえ込むことで、プロテクタの全長にわたってワイヤハーネスを、浮き上がりを防止しながらプロテクタ本体内に収容しておくことができる。従って、プロテクタカバーを被せるときの電線の噛み込みを防ぐことができ、プロテクタカバーの装着性の向上が図れる。また、車両走行中の振動などによりワイヤハーネスが浮き上がるのを防止することもできる。
【先行技術文献】
【特許文献】
【０００７】
【特許文献１】特開２００４−１３５４３１号公報
【特許文献２】特開２００８−９２６３８号公報
【発明の概要】
【発明が解決しようとする課題】
【０００８】
ところで、特許文献１に記載の従来例のように、プロテクタカバーにヒンジを設けた場合、ヒンジが薄肉部として形成されているため、その部分の強度が低下してしまう。そのため、プロテクタ本体に収容したワイヤハーネスから強い反力を受けたりすると、ヒンジが破損するおそれが出てくる。
【０００９】
そこで、特許文献２に記載の技術のように、電線押さえ片をプロテクタ本体に設けて、ワイヤハーネスを押さえ付けることが考えられるが、単に適当な位置に電線押さえ片を設けるだけでは、ワイヤハーネスからの強い反力がプロテクタカバーのヒンジに及ぶ影響を弱めることはできない。特に、プロテクタの屈曲位置に合わせてカバーのヒンジが設けられている場合には、ワイヤハーネスからのヒンジに対する反力が大きくなる。
【００１０】
本発明は、上述した事情に鑑みてなされたものであり、その目的は、強度の低いプロテクタカバーのヒンジをワイヤハーネスの反力から保護することのできるワイヤハーネス用のプロテクタを提供することにある。
【課題を解決するための手段】
【００１１】
本発明の上記目的は、下記の構成により達成される。
（１）  底壁と両側壁を備え上面が開口した断面Ｕ字状に形成され、内部にワイヤハーネスが収容されるプロテクタ本体と、該プロテクタ本体の上面の開口を塞ぐように前記プロテクタ本体に係合されるプロテクタカバーとを備え、前記プロテクタカバーのワイヤハーネスの長手方向に沿った中間部に、該プロテクタカバーの肉厚を局部的に薄くすることで屈曲自在とされたヒンジが、前記プロテクタカバーの幅方向に沿って形成されており、前記ヒンジを境にした長手方向の両側の第１カバー部と第２カバー部とが、個別に前記プロテクタ本体に対して該プロテクタ本体の上面の開口を塞ぐように係合可能とされたワイヤハーネス用のプロテクタであって、
前記プロテクタ本体の前記ヒンジと重なる位置に、前記プロテクタ本体の上面の開口を跨ぐように架け渡されて、両端が前記プロテクタ本体の前記両側壁に係合されることで、前記プロテクタ本体に収容されたワイヤハーネスを押さえ込む電線押さえ片が設けられていることを特徴とするワイヤハーネス用のプロテクタ。
【００１２】
（２）  前記電線押さえ片の両端のうち一端が、前記プロテクタ本体を構成する前記両側壁のうちの一方の側壁に回動自在に連結され、他端が、前記両側壁のうちの他方の側壁に着脱自在にロック結合されるように構成されていることを特徴とする上記（１）に記載のワイヤハーネス用のプロテクタ。
【００１３】
（３）  前記プロテクタ本体及び前記プロテクタカバーの長手方向の一端側が他端側から上方に向けて湾曲又は屈曲しており、その湾曲又は屈曲位置の前記一端側又は前記他端側の位置に、前記ヒンジ及び前記電線押さえ片が配置されていることを特徴とする上記（１）又は（２）に記載のワイヤハーネス用のプロテクタ。
【００１４】
上記（１）の構成のプロテクタによれば、プロテクタ本体側に設ける電線押さえ片を、プロテクタカバー側に設けた強度の低いヒンジと重なる位置に配置しているので、ヒンジに作用するワイヤハーネスからの反力を、この電線押さえによって押さえ込むことができる。従って、ヒンジへ加わる力を減じることができて、強度の低いヒンジを保護することができ、ヒンジの破損を防ぐことができる。
【００１５】
上記（２）の構成のプロテクタによれば、電線押さえ片の一端をプロテクタ本体の側壁に連結しているので、電線押さえ片をプロテクタ本体に一体に成形することができ、部品点数を少なくすることができる。
【００１６】
上記（３）の構成のプロテクタによれば、プロテクタ本体及びプロテクタカバーの長手方向の一端側が他端側から上方に向けて湾曲又は屈曲しており、その湾曲又は屈曲位置の前記一端側又は前記他端側の位置にヒンジ及び電線押さえ片を配置しているので、湾曲状に配索されるワイヤハーネスに浮き上がり力が作用してヒンジにその力が及ぶ可能性が高くなるが、ヒンジと重なる位置に電線押さえ片が配置されているので、ヒンジに及ぶ力を電線押さえ片によって減じることができ、強度の低いヒンジを保護することができる。
【発明の効果】
【００１７】
本発明によれば、ヒンジに作用するワイヤハーネスからの反力を電線押さえによって押さえ込むことができ、強度の低いヒンジを保護することができる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明の一実施形態のプロテクタの組立前の状態を示す図で、図１（ａ）はプロテクタ本体の平面図、図１（ｂ）はプロテクタカバーの裏返した状態を示す平面図である。
【図２】前記プロテクタ本体の側面図である。
【図３】前記プロテクタ本体にプロテクタカバーを被せて構成したプロテクタの組立状態を示す図で、図３（ａ）は平面図、図３（ｂ）は側面図である。
【図４】比較例のプロテクタの組立前の状態を示す図で、図４（ａ）はプロテクタ本体の平面図、図４（ｂ）はプロテクタカバーの裏返した状態を示す平面図である。
【図５】図４のプロテクタ本体にプロテクタカバーを被せて構成した比較例のプロテクタの組立状態を示す図で、図５（ａ）は平面図、図５（ｂ）は側面図である。
【発明を実施するための形態】
【００２０】
以下、本発明の一実施形態を図面を参照して説明する。
図１〜図３に示すように、本実施形態のワイヤハーネス用のプロテクタ１は、合成樹脂製であり、プロテクタ本体１０とプロテクタカバー（蓋）２０とからなる。
【００２１】
プロテクタ本体１０は、底壁１１と両側壁１２を備え上面が開口した断面Ｕ字状に形成されており、内部にワイヤハーネス（図示せず）を収容することができるように構成されている。また、プロテクタカバー２０は、プロテクタ本体１０の上面の開口を塞ぐようにプロテクタ本体１０に係合されるもので、プロテクタ本体１０の形状に合わせた形状に形成されている。プロテクタ本体１０とプロテクタカバー２０には、プロテクタカバー２０をプロテクタ本体１０に上から被せたときに、互いにロックすることでプロテクタ本体１０とプロテクタカバー２０を一体に結合するロック部１３、２３が設けられている。
【００２２】
また、プロテクタカバー２０のワイヤハーネスの長手方向に沿った中間部には、プロテクタカバー２０の肉厚を局部的に薄くすることで屈曲自在とされたヒンジ２５が設けられている。このヒンジ２５は、プロテクタカバー２０の幅方向に沿って形成されており、ヒンジ２５を境にした長手方向の両側の第１カバー部２１と第２カバー部２２とが、個別にプロテクタ本体１０に対してプロテクタ本体１０の上面の開口を塞ぐように係合可能とされている。つまり、ヒンジ２５の位置でプロテクタカバー２０が折れ曲がることにより、片方のカバー部２１（又は２２）を閉じた状態にしながら、他方のカバー部２２（又は２１）を開いた状態にしておくことができるようになっている。
【００２３】
また、プロテクタ本体１０には、プロテクタ本体１０の上面の開口を跨ぐように架け渡されて、両端がプロテクタ本体１０の両側壁１２に係合されることで、プロテクタ本体１０に収容されたワイヤハーネスを押さえ込む電線押さえ片１５が設けられている。本実施形態では、電線押さえ片１５の両端のうち基端（一端）１５ａが、プロテクタ本体１０を構成する両側壁１２のうちの一方の側壁に回動自在に連結されており、先端（他端）１５ｂが、両側壁１２のうちの他方の側壁に設けたロック部１６に対して着脱自在にロック結合されるように構成されている。
【００２４】
この場合の電線押さえ片１５は、プロテクタ本体１０とプロテクタカバー２０を合体させたときに、プロテクタカバー２０のヒンジ２５と重なる位置に配置されている。つまり、図１に示すように、プロテクタ本体１０とプロテクタカバー２０を合体させたときに同じ位置となるラインＡ上に、ヒンジ２５と電線押さえ片１５とが配置されている。特に、図３（ｂ）に示すように、プロテクタ本体１０及びプロテクタカバー２０により構成されるプロテクタ１の長手方向の一端側２は、他端側３から上方に向けて湾曲又は屈曲しており、その湾曲又は屈曲し始める位置Ｂよりも他端側３の位置に、ヒンジ２５及び電線押さえ片１５が配置されている。なお、ヒンジ２５及び電線押さえ片１５は、湾曲又は屈曲し始める位置Ｂよりも一端側２の位置に配置されていてもよい。
【００２５】
以上のように構成されたプロテクタ１によれば、プロテクタ本体１０側に設ける電線押さえ片１５を、プロテクタカバー２０側に設けた強度の低いヒンジ２５と重なる位置に配置しているので、ヒンジ２５に作用するワイヤハーネスからの反力を、この電線押さえ１５によって押さえ込むことができる。従って、ヒンジ２５へ加わる力を減じることができて、強度の低いヒンジ２５を保護することができ、ヒンジ２５の破損を防ぐことができる。
【００２６】
特に、このプロテクタ１は、長手方向の一端側２が他端側３から上方に向けて湾曲又は屈曲した三次元形状をなしており、その湾曲又は屈曲し始める位置Ｂよりも他端側３の位置にヒンジ２５及び電線押さえ片１５を配置しているので、湾曲状に配索されるワイヤハーネスに浮き上がり力が作用してヒンジ２５にその力が及ぶ可能性が高くなるが、ヒンジ２５と重なる位置に電線押さえ片１５が配置されているので、ヒンジ２５に及ぶ力を電線押さえ片１５によって有効に減じることができ、強度の低いヒンジ２５を確実に保護することができる。
【００２７】
また、電線押さえ片１５は、プロテクタ本体１０とは別体に成形して、両端をプロテクタ本体１０の両側壁に設けたロック部に着脱自在に係合させるように構成することもできるが、この実施形態のプロテクタ１では、電線押さえ片１５の基端（一端）１５ａをプロテクタ本体１０の側壁１２に回動自在に連結しているので、電線押さえ片１５をプロテクタ本体１０に一体に成形することができ、部品点数を少なくすることができる。
【００２８】
図４及び図５は比較例を示している。
この比較例のプロテクタ１０１では、プロテクタ本体１１０の電線押さえ片１５の位置と、プロテクタカバー２０のヒンジ２５の位置とが互いにずれている。図５（ｂ）に示すように、プロテクタ本体１１０及びプロテクタカバー２０により構成されるプロテクタ１０１の長手方向の一端側１０２は、他端側１０３から上方に向けて湾曲又は屈曲しており、電線押さえ片１５は、ワイヤハーネスの浮き上がりを有効に防止するために、湾曲又は屈曲し始める位置Ｂの近傍に配置されている。一方、プロテクタカバー２０のヒンジ２５は、電線押さえ片１５と重ならない位置に配置されており、ヒンジ２５と電線押さえ片１５とは互いに位置がずれている。
【００２９】
ところが、このようにヒンジ２５と電線押さえ片１５の位置がずれて配置されていると、確かに電線押さえ片１５のある位置では、湾曲形状に配索されたワイヤハーネスの浮き上がりを防止できるものの、ヒンジ２５に対してワイヤハーネスの浮き上がり反力が作用する可能性が出てくる。ヒンジ２５は強度的な弱部であり、その部分にワイヤハーネスからの反力が加わると、ヒンジ２５が破損するおそれが出てくる。
【００３０】
その点、図１〜図３に示した本発明の実施形態のプロテクタ１は、上方に湾曲又は屈曲し始める位置Ｂから多少離れたとしても、敢えてヒンジ２５の位置に重なるように電線押さえ片１５を配置しているので、ワイヤハーネスの反力がヒンジ２５に及ぶのを極力防止することができ、ヒンジ２５を保護することができる。
【００３１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、図１〜図３に示した上記実施形態では、図４及び図５の比較例におけるヒンジ２５の位置に電線押さえ片１５を移動して配置した場合を示したが、図４及び図５の比較例における電線押さえ片１５の位置にヒンジ２５を移動して配置するようにしてもよい。
【符号の説明】
【００３３】
１  プロテクタ
２  一端側
３  他端側
１０  プロテクタ本体
１１  底壁
１２  側壁
１５  電線押さえ片
１５ａ  基端（一端）
１５ｂ  先端（他端）
２０  プロテクタカバー
２１  第１カバー部
２２  第２カバー部
２５  ヒンジ
【図１】
2013247712.tif 000003
【図２】
2013247712.tif 000004
【図３】
2013247712.tif 000005
【図４】
2013247712.tif 000006
【図５】
2013247712.tif 000007